(57)【特許請求の範囲】
【請求項１】
ＰＯＰ表示部材を保持するＰＯＰ保持部を備えたＰＯＳ端末装置であって、
前記ＰＯＰ保持部は、前記ＰＯＳ端末装置の装置内部からの空気を排出するスリットと、前記ＰＯＰ表示部材が差し込まれるＰＯＰ取付け凹部とを有するとともに、前記ＰＯＳ端末装置から突出しており、
前記ＰＯＰ取付け凹部は、水抜き孔を有し、前記水抜き孔からは、前記ＰＯＳ端末装置の装置内部からの放熱が行われ、
前記ＰＯＳ端末装置は、前記ＰＯＳ端末装置の内部に設けられ、前記水抜き孔から進入した水または飲料を前記ＰＯＳ端末装置の外へ導く排水路と、前記ＰＯＳ端末装置の装置内部から外部への放熱流路とを備え、
前記スリットおよび前記水抜き孔は、前記排水路よりも前記放熱流路の下流側に設けられ、前記排水路の上流側と前記ＰＯＰ保持部とにより囲まれる空間において、前記排水路と前記放熱流路とが交錯することを特徴とするＰＯＳ端末装置。
【請求項２】
前記排水路が、前記ＰＯＰ保持部および前記水抜き孔の下方に位置して、前記ＰＯＳ端末装置の内壁と隙間をもって設けた堤防部を有しており、前記ＰＯＳ端末装置の外部へ開口する排水口に向けて傾斜しているものである請求項１に記載のＰＯＳ端末装置。
【請求項３】
前記ＰＯＳ端末装置は、筐体と、前記筐体の上面に取り付けられるカバーとを備え、
前記ＰＯＰ保持部は、前記カバーに設けられ、
前記排水路は、前記筐体の上面に設けられたことを特徴とする請求項１または請求項２に記載のＰＯＳ端末装置。
【発明の詳細な説明】
【技術分野】
【０００１】
本発明は、ＰＯＰ表示部材を取り付け可能なＰＯＳ端末装置に関するものである。
【背景技術】
【０００２】
ＰＯＳ端末装置（金銭登録機）は、商品を販売する際に店員が商品の販売情報等を入力する装置である。このようなＰＯＳ端末装置は、食堂や飲食店のレジカウンターなどに対面式で設置される。そして、レジカウンター上のＰＯＳ端末装置の近くには、顧客に対してＰＯＰ（Point Of Purchase）を表示するためのＰＯＰ表示板が設置される。
【０００３】
しかし、従来のＰＯＳ端末装置には、ＰＯＰ表示板の取付け構造が設けられていない。そこで、レジカウンターなどにＰＯＰ表示板を設置するために、ＰＯＰ表示板用の支持具が提供されている（例えば特許文献１参照）。この支持具は、Ｔ字型の保持枠と、保持枠が嵌挿されるパイプ部材と、パイプ部材が嵌挿される支柱を有する台座で構成されている。そして、ＰＯＰ表示板を支持具の保持枠に保持させて、支持具の台座をレジカウンターの上に載置する。
【特許文献１】登録実用新案第３０４６６６９号公報（第８−１２頁、第１図）
【発明の開示】
【発明が解決しようとする課題】
【０００４】
しかしながら、上記のような支持具を用いて、レジカウンター上のＰＯＳ端末装置の近くにＰＯＰ表示板を設置するためには、レジカウンター上に支持具を設置するための場所を確保する必要がある。したがって、レジカウンター上での使用可能なスペース（すなわち、トレイを置いたり接客するために必要なスペース）が減ってしまうという問題がある。また、支持具という別部材を用いるので、ＰＯＳ端末装置とは別に支持具の採用費用がかかるという問題がある。
【０００５】
そこで、ＰＯＳ端末装置の装置本体にＰＯＰ表示板を取り付けるための取付け凹部を設けることも考えられる。しかし、レジカウンターなどに対面式で設置されるＰＯＳ端末装置では、装置本体の上にジュースや水などの飲料等を店員が誤ってこぼしてしまうことがある。そのような場合に、単に装置本体に取付け凹部を設けただけでは、こぼれた飲料等が凹部に溜まってしまい、不衛生であるという問題がある。そこで、取付け凹部から装置本体の内部に水抜きすることも考えられる。しかし、装置本体の内部には、各種の電子部品が収納されており、装置本体の内部に飲料等が入り込んで電子部品が濡れてしまうと、電子部品の故障の原因となるおそれがある。したがって、取付け凹部の水抜きをすることも容易でない。
【０００６】
本発明は、上記従来の問題を解決するためになされたもので、ＰＯＰ表示部材を容易に取り付けることができ、かつ、装置本体の上にこぼれた飲料等が取付け凹部に溜まるのを防止することができるＰＯＳ端末装置を提供することを目的とする。
【課題を解決するための手段】
【０００７】
本発明のＰＯＳ端末装置は、ＰＯＰ表示部材を保持するＰＯＰ保持部を備えたＰＯＳ端末装置であって、前記ＰＯＰ保持部は、前記ＰＯＳ端末装置の装置内部からの空気を排出するスリットと、前記ＰＯＰ表示部材が差し込まれるＰＯＰ取付け凹部とを有するとともに、前記ＰＯＳ端末装置から突出しており、前記ＰＯＰ取付け凹部は、水抜き孔を有し、前記水抜き孔からは、前記ＰＯＳ端末装置の装置内部からの放熱が行われ、前記ＰＯＳ端末装置は、前記ＰＯＳ端末装置の内部に設けられ、前記水抜き孔から進入した水または飲料を前記ＰＯＳ端末装置の外へ導く排水路と、前記ＰＯＳ端末装置の装置内部から外部への放熱流路とを備え、前記スリットおよび前記水抜き孔は、前記排水路よりも前記放熱流路の下流側に設けられ、前記排水路の上流側と前記ＰＯＰ保持部とにより囲まれる空間において、前記排水路と前記放熱流路とが交錯する構成を有している。
【０００８】
この構成により、装置本体の上部のＰＯＰ取付け凹部に、ＰＯＰ表示部材を容易に取り付けることができる。したがって、従来の支持具を用いる場合に比べて、レジカウンター上での使用可能なスペースが増える。また、支持具のための採用費用が別にかかることがない。そして、装置本体の上に飲料等がこぼれた場合には、ＰＯＰ取付け凹部の底部の水抜き孔から水抜きすることができる。これにより、装置本体の上にこぼれた飲料等がＰＯＰ取付け凹部に溜まるのを防止することができる。そして、水抜き孔から排水路に流れ込んだ飲料等は、排水路を流れて排水口から装置本体の外部へ排出される。これにより、装置本体の内部の電子部品が濡れるのを防止することができる。
【０００９】
また、本発明のＰＯＳ端末装置は、前記装置本体の上部には、上方に向かって突出したＰＯＰ保持部が形成され、前記ＰＯＰ取付け凹部は、前記ＰＯＰ保持部に設けられた構成を有している。
【００１０】
この構成により、ＰＯＰ保持部を上方に向けて突出させた分だけ、ＰＯＰ取付け凹部を深くすることができる。ＰＯＰ取付け凹部にＰＯＰ表示部材を深く差し込むことによって、ＰＯＰ表示部材を安定に保持することができる。また、ＰＯＰ保持部が上方に向けて突出した形状であり、ＰＯＰ取付け凹部が最も高い位置に配置されているので、ＰＯＰ取付け凹部の周辺にこぼれた飲料等は、ＰＯＰ取付け凹部とは反対側の低い位置へ流れることとなる。これにより、ＰＯＰ取付け凹部に流れ込む飲料等の量を少なくすることができる。
【００１１】
また、本発明のＰＯＳ端末装置では、前記装置本体の内部には、放熱用の通気路が設けられ、前記通気路は、前記水抜き孔に連絡している構成を有している。
【００１２】
この構成により、装置本体の内部の電子部品等の発熱体により暖められた空気は、放熱用の通気路を通って、水抜き孔から装置本体の外部へ排出される。これにより、装置本体の内部で発生した熱を、水抜き孔から外部へ放出することができる。したがって、水抜き孔が放熱用の通気孔を兼ね、水抜き孔からの排水と放熱を同時に実現することができる。
【００１３】
また、本発明のＰＯＳ端末装置では、前記排水路は、前記排水路を流れる水が溢れるのを防止する堤防部を備えており、前記通気路は、前記堤防部の上を通って、前記水抜き孔へ連絡している構成を有している。
【００１４】
この構成により、排水路を流れる水（飲料等）は、堤防部によって溢れることなく排水口までガイドされる。これにより、装置本体の内部の電子部品が濡れるのを確実に防止することができる。このとき、放熱用の通気路を流れる空気は、堤防部の上を通って水抜き孔から装置本体の外部へ排出される。したがって、堤防部によって放熱時の空気の流れが遮られることがなく、水抜き孔からの排水と放熱を同時に実現することができる。
【００１５】
また、本発明のＰＯＳ端末装置では、前記装置本体は、筐体と、前記筐体の上面に取り付けられるカバーとを備え、前記ＰＯＰ取付け凹部は、前記カバーに設けられ、前記排水路は、前記筐体の上面に設けられた構成を有している。
【００１６】
この構成により、カバーのＰＯＰ取付け凹部に、ＰＯＰ表示部材を容易に取り付けることができ、レジカウンター上での使用可能なスペースが増える。そして、カバーの上に飲料等がこぼれた場合には、ＰＯＰ取付け凹部の底部の水抜き孔から水抜きすることができ、こぼれた飲料等がＰＯＰ取付け凹部に溜まるのを防止することができる。そして、水抜き孔から排水路に流れ込んだ飲料等は、筐体の上面の排水路を流れて排水口から外部へ排出される。これにより、筐体の内部に飲料等が入り込むことがなく、筐体の内部の電子部品が濡れるのを確実に防止することができる。
【発明の効果】
【００１７】
本発明は、ＰＯＰ取付け凹部の底部の水抜き孔と、水抜きした水（飲料等）を装置本体の外部へ排出する排水路を設けることにより、ＰＯＰ表示部材を容易に取り付けることができ、かつ、装置本体の上にこぼれた飲料等が取付け凹部に溜まるのを防止することができるという効果を有するＰＯＳ端末装置を提供することができるものである。
【発明を実施するための最良の形態】
【００１８】
以下、本発明の実施の形態のＰＯＳ端末装置について、図面を用いて説明する。本実施の形態では、食堂や飲食店のレジカウンターなどに対面式で設置されるＰＯＳ端末装置の場合を例示する。
【００１９】
本発明の実施の形態のＰＯＳ端末装置を図１〜図８に示す。図１は、本実施の形態のＰＯＳ端末装置１の概略構成を示す断面図である。図２は、ＰＯＳ端末装置１の店員側からみた斜視図であり、図３は、ＰＯＳ端末装置１の顧客側からみた斜視図である。図１〜図３に示すように、ＰＯＳ端末装置１は、カスタマーディスプレイ２を有する装置本体３と、装置本体３の上部にヒンジ４を介して上下回動自在に取り付けられる操作表示部５を備えている。そして、装置本体３の上部には、ＰＯＰ表示板６が取り付けられている（図２および図３参照）。ここでは、ＰＯＰ表示板６が、本発明のＰＯＰ表示部材に相当する。なお、装置本体３には、カスタマーディスプレイ２の下にＰＯＰ表示部７が設けられている（図１および図３参照）。本実施の形態では、このＰＯＰ表示部７にも、ＰＯＰ表示板８が取り付けられる。
【００２０】
操作表示部５は、店員が商品を販売する際にその商品の販売情報等を入力するものである。カスタマーディスプレイ２には、購入した商品の料金などが表示される。操作表示部５は店員側（図１における左側）を向いており、カスタマーディスプレイ２は顧客側（図１における右側）を向いている。
【００２１】
図４は、装置本体３の分解斜視図である。図４に示すように、装置本体３は、筐体９と、筐体９の上面に取り付けられるカバー１０で構成されている。筐体９は、中空であり、側面視で略Ｌ字形状をしている（図１参照）。そして、筐体９の内部には、電源や電子部品等の発熱体１１が備えられている。図１では、筐体９の内部における空気の流れが黒矢印で示されている。図１に示すように、発熱体１１によって暖められた空気は、筐体９の内部を上昇し、筐体９上部のカバー１０へ向かう。本実施の形態では、筐体９の内部において、電子部品等が取り付けられる基板フレーム１２と筐体９の内壁１３との間に、発熱体１１によって暖められた空気が通ることのできる隙間１４が設けられている。また、基板フレーム１２には、空気が通ることのできる通気口１５が設けられている（図４参照）。このように、筐体９の内部には、隙間１４や通気口１５によって、放熱用の通気路１６（発熱体１１によって暖められた空気が通ることのできる通路）が形成されている。
【００２２】
筐体９の上面には、カバー取付け段部１７が形成されている（図４および図８参照）。カバー１０は、カバー取付け段部１７に上側から嵌め込まれて、筐体９の上面に取り付けられている。このようにして、筐体９の上面はカバー１０で覆われている。
【００２３】
図５および図６には、本実施の形態のカバー１０が示される。図５は、カバー１０を表側（図１における上側）からみたときの斜視図であり、図６は、カバー１０を裏側（図１における下側）からみたときの斜視図である。図５および図６に示すように、カバー１０には、左右一対のＰＯＰ保持部１８が上方に向かって突出して形成されている。各ＰＯＰ保持部１８には、ＰＯＰ取付け凹部１９がそれぞれ設けられている。一方、ＰＯＰ表示板６の下部には、左右一対の取付け凸部２０が設けられている（図４参照）。そして、ＰＯＰ保持部１８のＰＯＰ取付け凹部１９に、ＰＯＰ表示板６の取付け凸部２０が差し込むことによって、ＰＯＰ表示板６がカバー１０に取り付けられている（図２および図３参照）。
【００２４】
図６に示すように、カバー１０のＰＯＰ取付け凹部１９の底部には、水抜き孔２１が形成されている。また、図５に示すように、カバー１０の下部には、左右一対の切欠き２２が設けられている。そして、図７に示すように、カバー１０を筐体９に取り付けたときに、左右一対の排水口２３が開口するように構成されている。さらに、ＰＯＰ保持部１８の店員側（図１における左側）には、複数のスリット孔２４が設けられている。また、カバー１０の中央部分にも、複数のスリット孔２５が設けられている。
【００２５】
図４に示すように、筐体９の上面には、排水路２６が形成されている。排水路２６の上流側は、水抜き孔２１の下方に位置しており、排水路２６の下流側は、排水口２３に連絡している。本実施の形態では、図１および図７に示すように、筐体９の上面は、排水路２６が形成されている部分において、上流側（図１における右側）から下流側（図１における左側）に向けて低くなるように傾斜している。すなわち、筐体９の排水路２６は、筐体９の内部（内側）から筐体９の外部（外側）へ向けて低くなるように傾斜しているともいえる。
【００２６】
また、図４および図８に示すように、排水路２６には、水（飲料等）の流れの向きに沿って堤防リブ２７が設けられている。本実施の形態では、排水路２６の内側（図８における右側）に、堤防リブ２７が形成されている。この堤防リブ２７によって、排水路２６を流れる水（飲料等）が、排水路２６の内側（筐体９の内部側）に溢れるのが防止される。ここで、堤防リブ２７は、本発明の堤防部に相当する。なお、排水路２６の外側（図８における左側）は、筐体９の内壁１３によって形成されている。
【００２７】
以上のように構成されたＰＯＳ端末装置１について、図面を用いてその動作を説明する。ここでは、まず、本発明の実施の形態のＰＯＳ端末装置１にＰＯＰ表示板６を取り付けるときの動作について説明する。
【００２８】
本実施の形態のＰＯＳ端末装置１に、ＰＯＰ表示板６を取り付けるときには、図２および図３に示すように、カバー１０のＰＯＰ保持部１８に設けたＰＯＰ取付け凹部１９に、ＰＯＰ表示板６の取付け凸部２０を差し込む。このようにして、ＰＯＰ表示板６をＰＯＳ端末装置１に容易に取り付けることができる。
【００２９】
つづいて、本実施の形態のＰＯＳ端末装置１の水抜き孔２１の排水機能と放熱機能について説明する。なお、図では、カバー１０にかかった水（飲料等）の流れが白矢印で示されており、筐体９の内部における空気の流れが黒矢印で示されている。
【００３０】
まず、ＰＯＳ端末装置１の水抜き孔２１の排水機能について説明する。例えば、レジカウンターで店員等が誤ってジュースや水などの飲料等をカバー１０の上にこぼしてしまうことがある。その場合、図１および図７に示すように、こぼれた飲料等の一部が、カバー１０のＰＯＰ保持部１８のＰＯＰ取付け凹部１９に入り込むことになる。このとき、本実施の形態では、ＰＯＰ保持部１８が上方に向けて突出した形状であり、ＰＯＰ取付け凹部１９が最も高い位置に配置されているので、ＰＯＰ取付け凹部１９の周辺にこぼれた飲料等は、ＰＯＰ取付け凹部１９とは反対側の低い位置へ流れることとなる（図７参照）。
【００３１】
ＰＯＰ取付け凹部１９に入り込んだ飲料等は、水抜き孔２１から下方に水抜きされて、筐体９の上面に形成された排水路２６の上流側に流れ落ちる。排水路２６は、筐体９の内側（上流側）から筐体９の外側（下流側）に向けて低くなるように傾斜している。そのため、排水路２６に流れ落ちた飲料等は、排水路２６を下流側に向けて流れて、排水口２３から筐体９の外部へ排出される。このとき、排水路２６を流れる飲料等は、堤防リブ２７によって排水口２３までガイドされ、筐体９の内側へ溢れることが防止されている。このようにして、ＰＯＳ端末装置１の水抜き孔２１からの排水が行われる。
【００３２】
つぎに、ＰＯＳ端末装置１の放熱機能について説明する。ＰＯＳ端末装置１の筐体９の内部において、電源や電子部品等の発熱体１１が発熱すると、発熱体１１の近くの空気が暖められる。そして、発熱体１１によって暖められた空気は、図１に示すように、筐体９の内部の放熱用の通気路１６を上昇する。
【００３３】
筐体９の内部を上昇してきた空気は、図８に示すように、堤防リブ２７の上を通って、ＰＯＰ取付け凹部１９の水抜き孔２１から、装置本体３の外部へ排気される。このようにして、ＰＯＳ端末装置１の水抜き孔２１からの放熱が行われる。
【００３４】
なお、図７に示すように、筐体９の内部を上昇してきた空気は、ＰＯＰ保持部１８のスリット孔２４やカバー１０の中央部分のスリット孔２５（図５参照）からも、装置本体３の外部へ排気される。このように、本実施の形態では、ＰＯＳ端末装置１の水抜き孔２１からだけでなく、ＰＯＳ端末装置１のスリット孔２４、２５からも放熱が行われる。
【００３５】
このような発明の実施の形態のＰＯＳ端末装置１によれば、ＰＯＰ取付け凹部１９の底部の水抜き孔２１と、水抜きした水（飲料等）を装置本体３の外部へ排出する排水路２６を設けることにより、ＰＯＰ表示板６を容易に取り付けることができ、かつ、装置本体３の上にこぼれた飲料等が取付け凹部に溜まるのを防止することができる。
【００３６】
すなわち、本実施の形態では、装置本体３の上部のＰＯＰ取付け凹部１９に、ＰＯＰ表示板６を容易に取り付けることができる（図２および図３参照）。したがって、従来の支持具を用いる場合に比べて、レジカウンター上での使用可能なスペースが増える。また、支持具のための採用費用が別にかかることがない。そして、装置本体３の上に飲料等がこぼれた場合には、ＰＯＰ取付け凹部１９の底部の水抜き孔２１から水抜きすることができる（図７参照）。これにより、装置本体３の上にこぼれた飲料等がＰＯＰ取付け凹部１９に溜まるのを防止することができる。そして、水抜き孔２１から排水路２６に流れ込んだ飲料等は、排水路２６を流れて排水口２３から装置本体３の外部へ排出される。これにより、装置本体３の内部の電子部品が濡れて故障の原因となるのを防止することができる。
【００３７】
また、本実施の形態では、ＰＯＰ保持部１８を上方に向けて突出させた分だけ、ＰＯＰ取付け凹部１９を深くすることができる。ＰＯＰ取付け凹部１９にＰＯＰ表示板６の取付け凸部２０を深く差し込むことによって、ＰＯＰ表示板６を安定に保持することができる。また、ＰＯＰ保持部１８が上方に向けて突出した形状であり、ＰＯＰ取付け凹部１９が最も高い位置に配置されているので、ＰＯＰ取付け凹部１９の周辺にこぼれた飲料等は、ＰＯＰ取付け凹部１９とは反対側の低い位置へ流れることとなる。これにより、ＰＯＰ取付け凹部１９に流れ込む飲料等の量を少なくすることができる（図７参照）。
【００３８】
また、本実施の形態では、装置本体３の内部の電子部品等の発熱体１１により暖められた空気は、放熱用の通気路１６を通って、水抜き孔２１から装置本体３の外部へ排出される（図７および図８参照）。これにより、装置本体３の内部で発生した熱を、水抜き孔２１から外部へ放出することができる。したがって、水抜き孔２１が放熱用の通気孔を兼ね、水抜き孔２１からの排水と放熱を同時に実現することができる。
【００３９】
また、本実施の形態では、排水路２６を流れる水（飲料等）は、堤防部によって溢れることなく排水口２３までガイドされる（図８参照）。これにより、装置本体３の内部の電子部品が濡れるのを確実に防止することができる。このとき、放熱用の通気路１６を流れる空気は、堤防部の上を通って水抜き孔２１から装置本体３の外部へ排出される。したがって、堤防部によって放熱時の空気の流れが遮られることがなく、水抜き孔２１からの排水と放熱を同時に実現することができる。
【００４０】
また、本実施の形態では、装置本体３が、筐体９とカバー１０で構成されており、カバー１０のＰＯＰ取付け凹部１９に、ＰＯＰ表示板６を容易に取り付けることができ、レジカウンター上での使用可能なスペースが増える。そして、カバー１０の上に飲料等がこぼれた場合には、ＰＯＰ取付け凹部１９の底部の水抜き孔２１から水抜きすることができ、こぼれた飲料等がＰＯＰ取付け凹部１９に溜まるのを防止することができる。そして、水抜き孔２１から排水路２６に流れ込んだ飲料等は、筐体９の上面の排水路２６を流れて排水口２３から外部へ排出される。これにより、筐体９の内部に飲料等が入り込むことがなく、筐体９の内部の電子部品が濡れるのを確実に防止することができる。
【００４１】
また、本実施の形態では、ＰＯＰ取付け凹部１９の水抜き孔２１の大きさ（面積）を調節することにより、水抜きする飲料等の量（水抜き量）と放熱量を調節することができる。例えば、水抜き孔２１の大きさを大きくすることにより、水抜き孔２１からの水抜き量と放熱量を多くすることが可能となる。
【００４２】
また、本実施の形態では、排水路２６の堤防リブ２７の高さを調節することにより、排水路２６を溢れずに流せる水の量（許容排水量）を調節することができる。例えば、堤防リブ２７の高さを高くすることにより、許容排水量を多くすることが可能となる。また、排水口２３の大きさ（面積）を調節することにより、装置本体３の外部への排水量を調節することができる。例えば、排水口２３の大きさを大きくすることにより、外部への排水量を多くすることが可能となる。
【００４３】
堤防リブ２７の高さを高くすると、堤防リブ２７の上を通ることができる空気の量が少なくなる。すなわち、水抜き孔２１からの放熱量が少なくなる。その場合には、スリット孔２４、２５からの放熱によって、水抜き孔２１からの放熱を補うことができる。すなわち、スリット孔２４、２５は、補助放熱用の通気孔であるともいえる。そして、スリット孔２４、２５の大きさ（面積）を調節することにより、スリット孔２４、２５からの放熱量を調節することができる。例えば、スリット孔２４、２５の大きさを大きくすることにより、スリット孔２４、２５からの放熱量を多くすることが可能となり、放熱効率がさらに向上する。
【００４４】
以上、本発明の実施の形態を例示により説明したが、本発明の範囲はこれらに限定されるものではなく、請求項に記載された範囲内において目的に応じて変更・変形することが可能である。
【００４５】
例えば、以上の説明では、装置本体３が、筐体９とカバー１０とで構成され、筐体９の上面に排水路２６が設けられた例について説明した。しかし、本発明の範囲はこれに限定されるものではなく、装置本体が筐体のみで構成されており、筐体の内部に樋部材が設けられ、排水路が形成されてもよい。
【産業上の利用可能性】
【００４６】
以上のように、本発明にかかるＰＯＳ端末装置は、ＰＯＰ表示部材を容易に取り付けることができ、かつ、装置本体の上にこぼれた飲料等が取付け凹部に溜まるのを防止することができるという効果を有し、食堂や飲食店のレジカウンターなどに対面式で設置されるＰＯＳ端末装置等として有用である。
【図面の簡単な説明】
【００４７】
【図１】本発明の実施の形態におけるＰＯＳ端末装置の概略構成を示す断面図
【図２】本発明の実施の形態におけるＰＯＳ端末装置の店員側からみた斜視図
【図３】本発明の実施の形態におけるＰＯＳ端末装置の顧客側からみた斜視図
【図４】本発明の実施の形態におけるＰＯＳ端末装置の装置本体の分解斜視図
【図５】本発明の実施の形態におけるＰＯＳ端末装置のカバーの斜視図
【図６】本発明の実施の形態におけるＰＯＳ端末装置のカバーの裏側からみた斜視図
【図７】本発明の実施の形態におけるＰＯＳ端末装置の要部を側面からみた拡大断面図
【図８】本発明の実施の形態におけるＰＯＳ端末装置の要部を正面からみた拡大断面図
【符号の説明】
【００４８】
１  ＰＯＰ端末装置
３  装置本体
６  ＰＯＰ表示板
９  筐体
１０  カバー
１１  発熱体（電源や電子部品等）
１６  通気路
１８  ＰＯＰ保持部
１９  ＰＯＰ取付け凹部
２１  水抜き孔
２２  切欠き
２３  排水口
２４  スリット孔
２５  スリット孔
２６  排水路
２７  堤防リブ
【図１】
0005179723.tif 000002
【図２】
0005179723.tif 000003
【図３】
0005179723.tif 000004
【図４】
0005179723.tif 000005
【図５】
0005179723.tif 000006
【図６】
0005179723.tif 000007
【図７】
0005179723.tif 000008
【図８】
0005179723.tif 000009